(57)【要約】      （修正有）【課題】長期間使用しても塵埃付着体を十分に振動させて、付着した塵埃を確実に除去することができる電気掃除機を提供すること。【解決手段】塵埃を集塵するための集塵室１２と、この集塵室１２を負圧にする電動送風機１３とを備え、電動送風機１３の駆動の停止に伴って生じる集塵室１２内の負圧の減少と大気圧との圧力差を利用して、集塵室１２に臨んで設置されると共に、塵埃が付着する集塵フィルタ１９を叩く叩打装置３０を設け、この叩打装置３０は、集塵室１２に連通孔３３Ａを介して連通する負圧室５１と、大気に連通する大気圧室５２と、負圧室５１と大気圧室５２とを区画する隔壁５０と、この隔壁５０が負圧室５１側から大気圧室５２側へ変位する際に集塵フィルタ１９を叩く叩き部材（叩き手段）６０を備え、隔壁５０が負圧室５１側へ変位した際に、この隔壁５０の変位動作に連動して連通孔３３Ａを封鎖する封鎖突起（封鎖手段）５３Ｔを備えている。【選択図】図３
2007130032.tif 000002
【特許請求の範囲】
【請求項１】
塵埃を集塵するための集塵室と、この集塵室を負圧にする電動送風機とを備え、該電動送風機の駆動の停止に伴って生じる前記集塵室内の負圧の減少と大気圧との圧力差を利用して、前記集塵室に臨んで設置されると共に、塵埃が付着する塵埃付着体を叩く叩打装置を設け、
該叩打装置は、前記集塵室に連通孔を介して連通する負圧室と、大気に連通する大気圧室と、前記負圧室と前記大気圧室とを区画すると共にこの負圧室と大気圧室との圧力差に応じて変位する隔壁と、この隔壁が前記負圧室側から前記大気圧室側へ変位する際に前記塵埃付着体を叩く叩き手段とを備えた電気掃除機であって、
前記隔壁が前記負圧室側へ変位した際に、この隔壁の変位動作に連動して前記連通孔を封鎖する封鎖手段を備えていることを特徴とする電気掃除機。
【請求項２】
前記封鎖手段は、前記隔壁と一体形成されていることを特徴とする請求項１に記載の電気掃除機。
【発明の詳細な説明】
【技術分野】
【０００１】
この発明は、叩打装置により例えば集塵フィルタを叩くようにした電気掃除機に関するものである。
【背景技術】
【０００２】
従来から、集塵フィルタの下流に二次フィルタであるプリーツフィルタを配置し、このプリーツフィルタに振動を与える振動手段を設けた電気掃除機が知られている（例えば特許文献１参照）。
【０００３】
かかる電気掃除機は、電源コードの巻き取り動作に連動して振動手段がプリーツフィルタに振動を与えるようになっており、この振動によりプリーツフィルタに付着した塵埃をふるい落とすようになっている。
【特許文献１】特開２００４−１８０７６７号公報
【発明の開示】
【発明が解決しようとする課題】
【０００４】
ところで、上述の電気掃除機では、振動手段がコイルスプリングによってプリーツフィルタ側に付勢されているが、長期間の使用によってコイルスプリングの付勢力が低下するおそれがあった。
【０００５】
そのため、振動手段とプリーツフィルタとの接触力が弱まり、プリーツフィルタを十分に振動させることができないという問題が生じていた。
【０００６】
そこで、この発明は、長期間使用しても塵埃付着体を十分に振動させて、付着した塵埃を確実に除去することができる電気掃除機を提供することを課題としている。
【課題を解決するための手段】
【０００７】
上記課題を解決するために、この発明は、塵埃を集塵するための集塵室と、この集塵室を負圧にする電動送風機とを備え、該電動送風機の駆動の停止に伴って生じる前記集塵室内の負圧の減少と大気圧との圧力差を利用して、前記集塵室に臨んで設置されると共に、塵埃が付着する塵埃付着体を叩く叩打装置を設け、該叩打装置は、前記集塵室に連通孔を介して連通する負圧室と、大気に連通する大気圧室と、前記負圧室と前記大気圧室とを区画すると共にこの負圧室と大気圧室との圧力差に応じて変位する隔壁と、この隔壁が前記負圧室側から前記大気圧室側へ変位する際に前記塵埃付着体を叩く叩き手段とを備えた電気掃除機であって、前記隔壁が前記負圧室側へ変位した際に、この隔壁の変位動作に連動して前記連通孔を封鎖する封鎖手段を備えていることを特徴としている。
【発明の効果】
【０００８】
本発明の電気掃除機によれば、隔壁が負圧室側へ変位すると、集塵室と負圧室とを連通する連通孔が封鎖手段によって封鎖され、負圧室内の空気が集塵室へ流れ込まないようにできる。つまり、負圧室内の圧力降下を隔壁が変位した状態で停止することができる。
【０００９】
これにより、集塵室内の負圧が高まっても、負圧室内の圧力が変化せず、隔壁が大きく変位することを防止できる。そのため、隔壁の劣化を防止し、耐久性を高めることが可能となる。
【００１０】
そして、長期間使用しても、隔壁が負圧室側から大気圧室側へ変位する際に塵埃付着体を十分に振動させることができ、付着した塵埃を確実に除去することができる。
【発明を実施するための最良の形態】
【００１１】
以下、図面に基づいて、この発明を実施するための最良の実施の形態の電気掃除機を説明する。
【００１２】
図１に示す電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１５と、この集塵ホース１５の他端に設けた手元操作管１７に着脱自在に接続された延長管１８と、この延長管１８の先端部に着脱自在に接続された吸込口体２０とを備えている。
【００１３】
また、集塵室１２には、集塵フィルタ（塵埃付着体）１９が着脱可能に装着されている。なお、集塵フィルタ１９は例えば紙パックフィルタまたは布製のパックフィルタである。
【００１４】
そして、手元操作管１７には操作部１７Ａが設けられており、操作部１７Ａには複数の操作スイッチＳａが設けられている。
【００１５】
掃除機本体１１には、蓋ケース２１が後部側を回動中心にして上下方向に開閉可能に装着されており、この蓋ケース２１は、図２に示すように集塵室１２の上部開口１２Ａを覆っている。また、この蓋ケース２１には集塵室１２に臨む位置で叩打装置３０が設けられている。
【００１６】
叩打装置３０は、図３に示すように、蓋ケース２１の凹部２１Ａに取り付けられたドーム状の半透明の表示ケース３１と、その凹部２１Ａに設けた開口２１ｂに取り付けられた下部ケース４０と、表示ケース３１と下部ケース４０との間に配置された隔壁５０と、表示ケース３１と隔壁５０との間に形成した負圧室５１と、隔壁５０と下部ケース４０との間に形成された大気圧室５２と、集塵フィルタ１９を叩く叩き部材６０と、下部ケース４０を下方から覆ったカバーケース７０等とを備えている。
【００１７】
表示ケース３１は、図３および図４に示すように、ドーム状に湾曲した本体部３１Ａと、この本体部３１Ａの裏面の中央部に形成した筒部３２と、この筒部３２の外側に筒部３２と同方向に突出した第１環状リブ３３と、この第１環状リブ３３の外側に形成された第２環状リブ３４等とを有している。
【００１８】
そして、第１環状リブ３３と第２環状リブ３４との間には４つのリブ３５Ａ〜３５Ｄが放射方向に沿って形成されている。
【００１９】
そして、本体部３１Ａのリブ３５Ａとリブ３５Ｂとの間の位置には、円弧状の穴３６が形成されている。また、第１環状リブ３３のリブ３５Ｃとリブ３５Ｄとの間の位置には、連通孔３３Ａが形成されている。
【００２０】
下部ケース４０は、図３および図５に示すように、円盤状の本体部４０Ａと、本体部４０Ａの中央部に形成された貫通孔４０Ｂと、この貫通孔４０Ｂの周縁から突出した円筒部４１と、この円筒部４１の外側に円筒部４１と同方向へ突出した第１環状リブ４２と、この第１環状リブ４２の外側に形成された第２環状リブ４３等とを有している。
【００２１】
さらに、貫通孔４０Ｂの周縁には、円筒部４１と逆方向に延びた一対のアーム部４７、４７が形成され、このアーム部４７、４７の先端部（下部）には外方に突出した突起部４７ａ、４７ａが形成されている。
【００２２】
また、下部ケース４０の第１環状リブ４２と第２環状リブ４３との間には４つのリブ４４Ａ〜４４Ｄが放射方向に沿って形成されている。
【００２３】
そして、第１環状リブ４２のリブ４４Ａとリブ４４Ｂとの間の位置には、複数の孔４２ａが形成されている。また、本体部４０Ａのリブ４４Ｃとリブ４４Ｄとの間の位置には、円弧状の穴４５が形成されている。
【００２４】
下部ケース４０の第１、第２環状リブ４２、４３は、図３に示すように、表示ケース３１の第１、第２環状リブ３３、３４に対向しており、下部ケース４０のリブ４４Ａ〜４４Ｄも表示ケース３１のリブ３５Ａ〜３５Ｄに対向している。そして、下部ケース４０の第２環状リブ４３と表示ケース３１の第２環状リブ３４はシール部材Ｓ１を介して接合されている。
【００２５】
また、下部ケース４０の円筒部４１の周囲が当接部４０Ｃとなっており、後述するキャップ体５４のフランジ５４Ｂが当接している。そして、キャップ体５４のフランジ５４Ｂが下部ケース４０の当接部４０Ｃに衝突するときに音を発生するようになっており、そのフランジ５４Ｂと当接部４０Ｃとで音発生手段が構成されている。
【００２６】
隔壁５０は、平面視がほぼ円形に形成された軟質樹脂製のダイアフラム部５３と、このダイアフラム部５３の中央部に設けた穴５３Ａに取り付けたキャップ体５４とを有している。
【００２７】
ダイアフラム部５３は、一方面に膨出するように湾曲形成されている。そして、このダイアフラム部５３の外周縁には、断面Ｈ形状のフランジ５３Ｆが形成され、このフランジ５３Ｆが表示ケース３１の第１環状リブ３３と下部ケース４０の第１環状リブ４２との間に挟持されている。
【００２８】
また、このフランジ５３Ｆには、第１環状リブ３３と第２環状リブ４２とに接合された際に連通孔３３Ａに対向する位置に、封鎖手段としての封鎖突起５３Ｔが設けられている。
【００２９】
この封鎖突起５３Ｔは、ダイアフラム部５３の膨出方向が変化することによって連通孔３３Ａから離接するように傾動可能となっている。
【００３０】
すなわち、封鎖突起５３Ｔは、ダイアフラム部５３が負圧室５１側に膨出しているときに連通孔３３Ａを封鎖し、ダイアフラム部５３が大気圧室５２側に膨出しているときに、連通孔３３Ａを開口する。
【００３１】
キャップ体５４は、円筒状のキャップ５４Ａと、このキャップ５４Ａの下部に形成されたフランジ５４Ｂ等とを有し、フランジ５４Ｂの周縁部がダイアフラム部５３の穴５３Ａの縁部に一体に接合されている。
【００３２】
また、キャップ５４Ａは下部ケース４０の円筒部４１に嵌合され、キャップ５４Ａは円筒部４１の軸線方向に沿って移動可能となっている。さらに、キャップ５４Ａは表示ケース３１の筒部３２内に進入可能となっている。
【００３３】
表示ケース３１の筒部３２および隔壁５０のキャップ５４Ａの周囲には、コイルスプリング（付勢手段）ＳＰが装着されており、このコイルスプリングＳＰによって隔壁５０が大気圧室５２側へ付勢されている。
【００３４】
そして、隔壁５０と表示ケース３１と第１環状リブ３３とで負圧室５１を区画形成し、隔壁５０と下部ケース４０と第１環状リブ４２とで大気圧室５２を区画形成している。
【００３５】
負圧室５１は、表示ケース３１の第１環状リブ３３の連通孔３３Ａと、下部ケース４０の穴４５を介して集塵室１２に連通している。また、大気圧室５２は、下部ケース４０の第１環状リブ４２の孔４２ａと、表示ケース３１の穴３６とを介して大気に連通している。
【００３６】
また、キャップ５４Ａの天板部５４ａの上面は例えば緑色に色づけされており、天板部５４ａの下面には、下方に延びるとともに下部ケース４０の貫通孔４０Ｂを貫通した軸５６が一体的に取り付けられている。
【００３７】
この軸５６は、キャップ５４Ａの軸線方向の移動とともに一体的に移動するようになっている。また、軸５６の下部には、図６に示すキャップ体５７と叩き部材（叩き手段）６０とが装着され、このキャップ体５７および叩き部材６０は軸５６とともに軸線方向に移動するようになっている。
【００３８】
キャップ体５７には相対向した一対の凹部５７Ａ、５７Ａが形成されるとともに、キャップ体５７の外周面にＣリング５８が装着されている。そして、凹部５７Ａ、５７ＡとＣリング５８とで囲まれる空間に下部ケース４０のアーム部４７、４７が挿入されるようになっている。その空間にアーム部４７、４７が挿入されると、アーム部４７、４７の突起部４７ａ、４７ａがＣリング５８に係合する（図８参照）。そして、アーム部４７、４７の突起部４７ａ、４７ａとＣリング５８とで負圧室５１が所定圧に達するまで隔壁５０を変位位置に保持する保持手段（クリック手段）が構成されている。
【００３９】
叩き部材６０は、図６に示すように、平板状の基板６１に複数の叩きリブ６２を設けたものである。
【００４０】
カバーケース７０は、図７に示すように、蓋ケース２１の裏面に取り付けられているとともに基板６１（図６参照）を覆っている。また、カバーケース７０には複数のスリット状の孔７１が形成され、この孔７１から叩き部材６０の叩きリブ６２が図３に示すように下方へ突出している。
【００４１】
次に、上記のように構成される電気掃除機１０の動作について説明する。
【００４２】
電動送風機１３が停止しているときには、図３に示す叩打装置３０の負圧室５１が大気圧となっており、またコイルスプリングＳＰの付勢力により隔壁５０は図３に示す位置に位置している。
【００４３】
このとき、ダイアフラム部５３は大気圧室５２側へ膨出するように湾曲しており、このダイアフラム部５３に設けられた封鎖突起５３Ｔは、連通孔３３Ａから離間するように傾いている。これにより、表示ケース３１の第１環状リブ３３の連通孔３３Ａは下部ケース４０の穴４５に連通し、集塵室１２と負圧室５１とが連通している。
【００４４】
さらに、この状態では、キャップ５４Ａの天板部５４ａが表示ケース３１から離間しているので、半透明な表示ケース３１を通してキャップ５４Ａの天板部５４ａが見にくいものとなっている。
【００４５】
また、叩き部材６０の叩きリブ６２は、図３および図７に示すようにカバーケース７０の孔７１から突出している。
【００４６】
この状態で、手元操作管１７の操作スイッチＳａの操作により電動送風機１３が駆動されると集塵室１２が負圧となる。
【００４７】
この負圧は、集塵ホース１５、手元操作管１７、延長管１８を介して吸込口体２０の吸込室（図示せず）に作用し、吸込口体２０の底面の吸込室の吸込開口（図示せず）から被清掃面上の塵埃及び空気が吸い込まれる。そして、吸い込まれた塵埃及び空気は、延長管１８、手元操作管１７、集塵ホース１５を介して掃除機本体１１の集塵室１２へ吸い込まれていく。
【００４８】
集塵室１２へ吸い込まれた塵埃は集塵室１２内に装着された集塵フィルタ１９に捕集され、空気は電動送風機１３に吸い込まれた後に掃除機本体１１の図示しない排気孔から排気されていく。
【００４９】
一方、電動送風機１３の駆動により集塵室１２が負圧になると、この負圧が、下部ケース４０の穴４５と、表示ケース３１の第１環状リブ３３の連通孔３３Ａとを介して負圧室５１に作用し、この負圧室５１が負圧となる。
【００５０】
そして、負圧室５１が負圧になると、大気圧室５２との間に圧力差が生じ、ダイアフラム部５３が負圧室５１側に引っ張られ、隔壁５０は図８に示すように負圧室５１側である上方へコイルスプリングＳＰの付勢力に抗して変位する。
【００５１】
この隔壁５０の変位により、隔壁５０のキャップ体５４が上方へ移動してキャップ５４Ａが表示ケース３１の筒部３２内に進入する。
【００５２】
また、キャップ体５４の軸５６がキャップ体５４と一体に上方へ移動し、この軸５６の移動とともに叩き部材６０およびキャップ体５７が一体に上方へ移動する。このキャップ体５７の上方への移動により、図８に示すように下部ケース４０のアーム部４７、４７がキャップ体５７の凹部５７Ａ、５７Ａ内に入り込み、そのアーム部４７、４７の突起部４７ａ、４７ａがＣリング５８に係合する。これにより、キャップ体５４が図８に示す位置（変位位置）へ保持されることになる。
【００５３】
他方、キャップ体５４の軸５６の上方への移動によって、叩き部材６０が上方へ移動するので、叩き部材６０の叩きリブ６２は、図８に示すようにカバーケース７０の孔７１から引き込み、カバーケース７０内に入り込む。これにより、集塵フィルタ１９は図８の鎖線で示すようにカバーケース７０の下面に当接した状態となる。
【００５４】
さらに、このとき、ダイアフラム部５３が負圧室５１側に膨出するように湾曲し、このダイアフラム部５３に設けられた封鎖突起５３Ｔは、連通孔３３Ａを封鎖するようにこの連通孔３３Ａ側へ傾く。
【００５５】
そして、穴４５を介して集塵室１２から作用する負圧により、連通孔３３Ａ側に傾いた封鎖突起５３Ｔは引っ張られ、この封鎖突起５３Ｔが連通孔３３Ａの周縁部に密着する。
【００５６】
これにより、連通孔３３Ａは完全に封鎖され、集塵室１２と負圧室５１とが区画されることとなる。
【００５７】
このように、集塵室１２と負圧室５１とが区画されるので、負圧室５１内の空気が集塵室１２へ流れ込まないようにできる。つまり、負圧室５１内の圧力降下を隔壁５０が変位した状態で停止することができる。
【００５８】
そして、電動送風機１３の駆動が停止されると、その電動送風機１３の停止動作にともない集塵室１２の圧力が上昇していき、最終的に大気圧になる。この際、連通孔３３Ａ側に傾いた封鎖突起５３Ｔを引っ張る力は減少し、封鎖突起５３Ｔの連通孔３３Ａの周縁部への密着力が弱まる。
【００５９】
これにより、叩打装置３０の負圧室５１内の圧力も集塵室１２の圧力とともに上昇していき、叩打装置３０の大気圧室５２と負圧室５１との圧力差が減少していく。そして、この圧力差の減少により、隔壁５０を上に押し上げられる力がコイルスプリングＳＰの付勢力よりも小さくなると、隔壁５０は下方へ付勢されていく。
【００６０】
そして、隔壁５０に加わる下方への付勢力が所定以上になると、すなわち負圧室５１内の圧力が所定圧に達すると、この圧力によって隔壁５０のダイアフラム部５３が大気圧室５２側へ押される。
【００６１】
これにより、下部ケース４０のアーム部４７、４７の突起部４７ａ、４７ａがＣリング５８から外れ、隔壁５０とともに軸５６および叩き部材６０が一気に下方へ移動していき、叩き部材６０の叩きリブ６２がカバーケース７０の孔７１から下方へ突出して、カバーケース７０の下面に当接した集塵フィルタ１９を叩いて振動させる。そして、隔壁５０は図３に示す状態となる。
【００６２】
このように、集塵フィルタ１９に付着した塵埃を確実に叩き落とすことができ、集塵フィルタ１９の目詰まりが低減される。
【００６３】
以上説明したように、この発明の電気掃除機１０では、塵埃を集塵するための集塵室１２と、この集塵室１２を負圧にする電動送風機１３とを備え、電動送風機１３の駆動の停止に伴って生じる集塵室１２内の負圧の減少と大気圧との圧力差を利用して、集塵室１２に臨んで設置されると共に、塵埃が付着する集塵フィルタ１９を叩く叩打装置３０を設け、この叩打装置３０は、集塵室１２に連通孔３３Ａを介して連通する負圧室５１と、大気に連通する大気圧室５２と、負圧室５１と大気圧室５２とを区画すると共にこの負圧室５１と大気圧室５２との圧力差に応じて変位する隔壁５０と、この隔壁５０が負圧室５１側から大気圧室５２側へ変位する際に集塵フィルタ１９を叩く叩き部材６０を備え、隔壁５０が負圧室５１側へ変位した際に、この隔壁５０の変位動作に連動して連通孔３３Ａを封鎖する封鎖突起５３Ｔを備えているので、集塵室１２内の負圧が高まっても、隔壁５０が変位した後で負圧室５１内の圧力変化（圧力低下）を防止することができ、隔壁５０が大きく変位することがなくなる。
【００６４】
そのため、隔壁５０のダイアフラム部５３の劣化を防止し、耐久性を高めることが可能となる。
【００６５】
そして、この電気掃除機１０を長期間使用しても、ダイアフラム部５３の弾力性が失われず、負圧室５１側から大気圧室５２側へ隔壁５０が変位する際に、集塵フィルタ１９を十分に振動させることができ、この集塵フィルタ１９に付着した塵埃を確実に除去することができる。
【図面の簡単な説明】
【００６６】
【図１】この発明に係る電気掃除機の外観を示した斜視図である。
【図２】掃除機本体の一部を断面にした部分断面図である。
【図３】叩打装置の構成を示した断面図である。
【図４】表示ケースの裏面を示した平面図である。
【図５】下部ケースを示した平面図である。
【図６】叩き部材を示した斜視図である。
【図７】カバーケースを示した斜視図である。
【図８】隔壁が変位した状態を示した叩打装置の断面図である。
【符号の説明】
【００６７】
１０      電気掃除機
１２      集塵室
１３      電動送風機
１９      塵埃付着体（集塵フィルタ）
３０      叩打装置
３３Ａ    連通孔
５０      隔壁
５１      負圧室
５２      大気圧室
５３Ｔ    封鎖手段（封鎖突起）
６０      叩き手段（叩き部材）
【図１】
2007130032.tif 000003
【図２】
2007130032.tif 000004
【図３】
2007130032.tif 000005
【図４】
2007130032.tif 000006
【図５】
2007130032.tif 000007
【図６】
2007130032.tif 000008
【図７】
2007130032.tif 000009
【図８】
2007130032.tif 000010